(57)【要約】【課題】  測定結果の再現性を向上させることが可能な耳式体温計を提供する。【解決手段】  温度検出素子と赤外線検出素子とを備え、該温度検出素子により検出された環境温度と該赤外線検出素子により検出された相対温度とを用いて、被検者の体温を測定する耳式体温計１００であって、中空の筒状体によって形成され、前記耳腔内に挿入されるプローブ１０１と、測定者の指に装着するための装着機能１０６〜１０８を有し、該装着機能１０６〜１０８を用いて該測定者の指に装着した場合に、前記プローブ１０１の支持位置が、該測定者の手指末節部の手掌面に対向する位置となるように、前記プローブを支持する装着部１０２、１０４と、前記プローブ１０１の先端面から外周面にかけて連続して配されたセンサが複数配置された接触検知部１２１と、を備え、該センサ全てにおいて接触が検知されたことを条件に、体温の算出を行うことを特徴とする。【選択図】  図１
2012070920.tif 000002
【特許請求の範囲】
【請求項１】
環境温度を検出する温度検出素子と、被検者の耳腔内の温度測定部位から放射される赤外線を検出することで該温度測定部位の相対温度を検出する赤外線検出素子とを備え、該温度検出素子により検出された環境温度と該赤外線検出素子により検出された相対温度とを用いて、被検者の体温を算出する耳式体温計であって、
中空の筒状体によって形成され、前記耳腔内に挿入されるプローブと、
測定者の指に装着するための装着機能を有し、該装着機能を用いて該測定者の指に装着した場合に、前記プローブの支持位置が、該測定者の手指末節部の手掌面に対向する位置にくるように、前記プローブを支持する装着部と、
前記プローブの先端に形成された開口部の周縁を構成する先端面から、前記プローブの側面を構成する外周面にかけて一体的に配された、接触の有無を検知するための検知部が、前記プローブの周方向に複数配置された検知手段と、を備え、
前記検知手段に含まれる前記複数の検知部全てにおいて接触が検知されたことを条件に、前記体温の算出を行うことを特徴とする耳式体温計。
【請求項２】
前記検知手段に含まれる前記複数の検知部全てにおいて接触が検知されたことを条件に、音声を出力する出力手段を更に備えることを特徴とする請求項１の耳式体温計。
【請求項３】
前記装着部は、前記測定者の指に装着された場合に、該測定者の指の先端から該測定者の第１関節までの間におさまるように構成されていることを特徴とする請求項１に記載の耳式体温計。
【請求項４】
前記装着部は、測定した前記被検者の体温を表示する表示部を更に備え、該表示部は、前記装着部上であって、前記プローブの支持位置と同じ側の面を形成する第１の面上に配置されていることを特徴とする請求項３に記載の耳式体温計。
【請求項５】
前記装着機能は、前記装着部の側面を形成する第２の面上から延設された装着帯であって、前記第１の面に対向する第３の面上に、前記測定者の指が載置された場合に、該指の外周面に対して周方向に巻くことで、該指を該第３の面上に固定する装着帯により実現されることを特徴とする請求項４に記載の耳式体温計。
【請求項６】
前記第３の面上には、前記測定者の指が載置された場合に、該指の先端部の位置を規定する規定部材が設けられていることを特徴とする請求項５に記載の耳式体温計。
【発明の詳細な説明】
【技術分野】
【０００１】
本発明は、耳式体温計に関するものである。
【背景技術】
【０００２】
従来より、耳腔内にプローブを挿入し、鼓膜またはその周辺の温度を検出することで、被検者の体温を測定する耳式体温計が実用化されている。
【０００３】
耳式体温計は、一般に、環境温度を検出する温度検出素子（例えば、サーミスタ）と、耳腔内の温度測定部位（鼓膜またはその周辺）から放射される赤外線を検出する赤外線検出素子（例えば、冷接点と温接点とからなるサーモパイル）とを備えており、それぞれの検出素子の検出温度に基づいて、被検者の体温を算出している。
【０００４】
つまり、耳式体温計の場合、熱源である温度測定部位から放射される赤外線を直接測定する方式を採っているため、他の方式の体温計（例えば、腋下棒状の体温計）と比較して、体温測定にかかる時間が短く、かつ高精度であるという特徴を有している。
【０００５】
一方で、耳式体温計の場合、他の方式の体温計と比較して、再現性が低いという欠点がある。その原因の１つとして、耳式体温計の場合、温度測定部位に対して赤外線検出素子の向きがずれたことによる影響を受けやすいことが挙げられる。
【０００６】
一般に耳式体温計は、プローブ部の先端に形成された開口部を介して赤外線検出素子に直接到達した赤外線を測定している。このため、赤外線検出素子の向きがずれると、開口部を介して赤外線検出素子に到達する赤外線を放射している領域（測定範囲）がずれ、当該領域（測定範囲）に占める、熱源である温度測定部位（鼓膜またはその周辺）の割合が低くなり、結果的に測定誤差が大きくなる。
【０００７】
このため、体温測定に際しては、プローブ部の先端を耳穴に確実に挿入するか、あるいは、耳穴が小さく挿入できない場合にあっては、耳穴を塞ぐように、プローブ部の先端を密着させるといった適切な測定状態を実現することが不可欠である。
【先行技術文献】
【特許文献】
【０００８】
【特許文献１】特開２００８−２４１３６２号公報
【発明の概要】
【発明が解決しようとする課題】
【０００９】
しかしながら、乳幼児等のように、一定時間、静止させておくことが困難で、測定時に両手で拘束することが必要な被検者の場合には、上記適切な測定状態を実現できないことも多い。
【００１０】
一方で、上述したように、耳式体温計の場合、体温測定にかかる時間が短いことから、適切な測定状態が整ったわずかな時間を利用して、測定を開始することができれば、再現性の向上に寄与するものと期待できる。
【００１１】
本発明は上記課題に鑑みてなされたものであり、高い再現性を実現可能な耳式体温計を提供することを目的とする。
【課題を解決するための手段】
【００１２】
上記の目的を達成するために、本発明に係る耳式体温計は以下のような構成を備える。即ち、
環境温度を検出する温度検出素子と、被検者の耳腔内の温度測定部位から放射される赤外線を検出することで該温度測定部位の相対温度を検出する赤外線検出素子とを備え、該温度検出素子により検出された環境温度と該赤外線検出素子により検出された相対温度とを用いて、被検者の体温を算出する耳式体温計であって、
中空の筒状体によって形成され、前記耳腔内に挿入されるプローブと、
測定者の指に装着するための装着機能を有し、該装着機能を用いて該測定者の指に装着した場合に、前記プローブの支持位置が、該測定者の手指末節部の手掌面に対向する位置にくるように、前記プローブを支持する装着部と、
前記プローブの先端に形成された開口部の周縁を構成する先端面から、前記プローブの側面を構成する外周面にかけて一体的に配された、接触の有無を検知するための検知部が、前記プローブの周方向に複数配置された検知手段と、を備え、
前記検知手段に含まれる前記複数の検知部全てにおいて接触が検知されたことを条件に、前記体温の算出を行うことを特徴とする。
【発明の効果】
【００１３】
本発明によれば、高い再現性を実現可能な耳式体温計を提供することが可能となる。
【図面の簡単な説明】
【００１４】
【図１】本発明の第１の実施形態に係る耳式体温計１００の外観構成を示す図である。
【図２】耳式体温計１００の正面図及び側面図である。
【図３】測定者が耳式体温計１００を装着した様子を示す図である。
【図４】耳式体温計１００を用いて体温測定を行う様子を示した図である。
【図５】耳式体温計１００の検出素子収納体の構成を示す図である。
【図６】耳式体温計１００のプローブ部の構成を示す図である。
【図７】耳式体温計１００全体の機能構成を示す図である。
【図８】耳式体温計１００における体温測定処理の流れを示すフローチャートである。
【発明を実施するための形態】
【００１５】
以下、本発明の各実施形態について図面を参照しながら説明する。
【００１６】
［第１の実施形態］
１．耳式体温計の外観構成
はじめに、本発明の第１の実施形態に係る耳式体温計１００の外観構成について説明する。図１は、本発明の第１の実施形態に係る耳式体温計１００の外観構成を示す図である。
【００１７】
図１において、１０１はプローブ部であり、耳腔内の温度測定部位（好ましくは鼓膜及び／又はその周辺）から放射される赤外線を検出するために耳腔内（外耳道）に挿入される。プローブ部１０１は、耳腔内への挿入ができるだけ可能となるように、先端の外径寸法が約７ｍｍの筒状形状を有している。なお、プローブ部１０１の先端には、接触の有無を検知するための接触検知部１２１が取り付けられている（接触検知部１２１の詳細は後述するものとする）。
【００１８】
１０２はプローブ支持部であり、一方の面においてプローブ部１０１を支持する。また、プローブ部１０１を支持する面に対向する面１１１には、指固定壁（規定部材）１０３が設けられており、耳式体温計１００を測定者の指に装着した際の、当該指のＸ軸方向（プラス方向及びマイナス方向）及びＹ軸方向（プラス方向）の位置を規定している。
【００１９】
なお、プローブ支持部１０２の面１１１のＹ軸方向の長さは、概ね、測定者の指の先端から第１関節付近までの１／３程度の長さとなっており、面１１１上であって、プローブ部１０１を支持する支持位置に対向する位置に、測定者の指の腹（指紋がある部分。手指末節部の手掌面側の部分）の一部が接触するよう構成されている。
【００２０】
１０４は耳式体温計１００全体を制御する固定部であり、プローブ支持部１０２の面１１１と同一平面を形成する面１１２を有しており、耳式体温計１００が測定者の指に装着された際に、測定者の指の第１関節よりも先端側の部分が接触するよう構成されている。つまり、本実施形態における耳式体温計１００では、固定部１０４のＹ軸方向の長さが、概ね、測定者の指の第１関節までの長さとなるように構成されている。これにより、測定者は第１関節で指を折り曲げる動作を自由に行うことが可能となり、耳式体温計１００を被検者の耳腔内に挿入した際に、指先で微小角度の調整を行うことができる。つまり、プローブ部の先端の位置合わせを高精度に行うことが可能となる。
【００２１】
なお、固定部１０４の面１１２には、指固定壁（規定部材）１０５が設けられており、耳式体温計１００を測定者の指に装着した際の、当該指のＸ軸方向（プラス方向及びマイナス方向）の位置を規定する。
【００２２】
また、固定部１０４の側面には、測定者の指に巻かれる装着帯１０６、１０８が設けられており、プローブ支持部１０２の面１１１及び固定部１０４の面１１２に測定者の指が載置された状態で、該測定者の指に装着帯１０６を巻き、その先端の装着リング１０７に、装着帯１０８を通したうえで、Ｘ軸方向（マイナス方向）に引っ張ることにより、測定者の指を耳式体温計１００に安定して固定することができる（つまり、装着帯１０６、１０８、装着リング１０７は、耳式体温計１００を測定者の指に装着するための装着機能を実現するものであり、当該装着機能により装着されるプローブ支持部１０２及び固定部１０４は、一体で、装着部としての役割を果たす）。
【００２３】
なお、装着帯１０６及び装着帯１０８にはそれぞれ、雄型の面ファスナーと雌型の面ファスナーとが備えられており（不図示）、装着帯１０８をＸ軸方向（マイナス方向）に引っ張った状態で、装着帯１０８を装着帯１０６に罫着固定できるように構成されている。
【００２４】
２．耳式体温計１００の正面及び側面の構成
次に、耳式体温計１００の正面及び側面の構成について説明する。図２（ａ）は、耳式体温計１００の正面図であり、図２（ｂ）は、耳式体温計１００の側面図である。
【００２５】
図２（ａ）に示すように、固定部１０４の面１１２と対向する面２１１上（プローブ部１０１の突出方向と同じ側の面）には、表示部２０１が設けられており、測定された被検者の体温を表示する。また、面２１１上には、電源スイッチ２０２が設けられており、押圧操作により耳式体温計１００の電源のＯＮ／ＯＦＦを制御することができる。
【００２６】
また、図２（ｂ）に示すように、固定部１０４の側面には、スピーカ２０４が設けられており、適切な測定状態となった場合や、体温測定が終了した場合等に、音声を出力する。２０５はＬＥＤ素子であり、耳式体温計１００の内部状態に対応して点灯する。
【００２７】
３．耳式体温計１００の装着状態
次に測定者が耳式体温計１００を装着した状態について図３を参照しながら説明する。図３に示すように、測定者の指の先端部が指固定壁１０３に接触することで、測定者の指のＹ軸方向（マイナス方向）及びＸ軸方向（プラス方向及びマイナス方向）の位置が規定される。
【００２８】
また、装着帯１０６の先端に設けられた装着リング１０７に装着帯１０８が通され、装着帯１０８がＸ軸方向（マイナス方向）に引っ張られることで、測定者の指の第１関節より先端側の部分が、固定部１０４に固定される。
【００２９】
上述したように、耳式体温計１００が測定者の指に装着された状態では、測定者は指の第１関節を折り曲げることができ、これにより、被検者の耳腔内へのプローブ部１０１の挿入に際して、測定者はプローブ部１０１の先端の位置を微調整することができる。
【００３０】
また、測定者の指の腹が、プローブ支持部１０２の面１１１上であって、プローブ支持部１０２がプローブ部１０１を支持する支持位置に対向する位置において面１１１に接触するため、測定者は、プローブ部１０１の先端が耳壁に接触する感覚を、指先で敏感に感じ取ることができる。
【００３１】
なお、図３に示すように、耳式体温計１００は、測定者のいずれかの指（通常は、人指し指）に安定して固定されるため、測定者は、被検者の体温測定に際して、耳式体温計１００が装着された指以外の指を、自由に使うことができる。
【００３２】
４．耳式体温計１００による体温測定
次に測定者が耳式体温計１００を装着して、被検者の体温測定を行う様子を図４を参照しながら説明する。図４に示すように、耳式体温計１００を測定者の右手の人差し指に装着した場合、右手人差し指以外の指は自由に使うことができる。このため、測定者は、被検者の顔を両手（左手の全ての指と、右手の人差し指以外の指と）で、押えることができる。
【００３３】
このように、本実施形態に係る耳式体温計１００によれば、測定に際して、被検者を両手で押えることができるため、安定した状態（被検者が静止した状態）での体温測定が可能となる。
【００３４】
５．プローブ部１０１の構成
（１）検出素子収納体の構成
次にプローブ部１０１の構成について説明する。はじめに、プローブ部１０１に取り付けられた検出素子収納体の構成について説明する。
【００３５】
プローブ部１０１は先端に開口部が形成された中空筒状体により構成されており、温度検出素子（例えば、サーミスタ）と、耳腔内の温度測定部位（鼓膜またはその周辺）から放射される赤外線を検出する赤外線検出素子（例えば、冷接点と温接点とからなるサーモパイル）とが収納された検出素子収納体が固定されている。なお、サーミスタは、サーモパイルの近傍に配置され、サーモパイルの冷接点の温度を測定するものであり、温度測定部位から放射される赤外線が当たることがないように配置されている。
【００３６】
図５は、検出素子収納体の一部を破断して示した外観斜視図である。図５に示すように、検出素子収納体は、取付け基部材５０３を備え、取付け基部材５０３上には、環境温度を検出するサーミスタ５０１と、耳腔内の温度測定部位から放射される赤外線を検出するサーモパイル５０２とが固定されている。
【００３７】
サーミスタ５０１は、使用環境温度である絶対温度を検出できるように冷接点の近傍に配置されている。また、外気温度がサーミスタ５０１に伝達されるよう、取付け基部材５０３はアルミ材等の良熱伝導体により構成されており、かつ、サーミスタ５０１は、取付け面の表面積が大きくなるように取付け基部材５０３に固定されている。
【００３８】
更に、サーミスタ５０１には、電極リード５０７が取付けられており、検出温度は電極リード５０７を介して出力される。
【００３９】
一方、赤外線ＩＲを検出するサーモパイル５０２は、相対温度を検出するように調整されている。
【００４０】
本実施形態に係る耳式体温計１００では、サーモパイル５０２として、熱電対型（サーモパイル型）の検出素子を用いている。このため、図５に示すように、取付け基部材５０３の台座５０３ｂ上に固定されるウエハ担体５０２ｃ上には、花弁状に形成された温接点５０２ａと、冷接点５０２ｂとが形成されている。なお、冷接点５０２ａは、赤外線が当たることがないよう、ウエハ担体５０２ｃの周辺部に配置されている。
【００４１】
各温接点５０２ａと冷接点５０２ｂとは異種金属から形成され、かつ直列に接続されており、取付け基部材５０３に絶縁状態で固定された電極リード５０８に対してはリード線を介して接続されている。なお、温接点５０２ａで囲まれる範囲Ｈは、赤外線を吸収しやすくするために黒色塗装されている。
【００４２】
このような構成のもと、温度測定部位から放射される赤外線により、サーモパイル５０２では、各接点間において起電力が発生する（これにより、冷接点５０２ｂに対する温接点５０２ａの相対温度が検出される）。
【００４３】
耳式体温計１００では、サーミスタ５０１により検出された冷接点５０２ｃの検出温度に、サーモパイル５０２からの出力に基づいて換算された温接点５０２ａの相対温度を加えることで、被検者の体温を算出する。なお、この算出処理の詳細については、例えば特開平１１−１２３１７９号公報に詳しく記載されているので、ここでの詳細な説明は省略する。
【００４４】
更に、検出素子収納体は、２つの検出素子を囲い込むように形成された筒状の容器部材５０５を備え、容器部材５０５は、外周面５０５ａと、孔５０４を有する天井面とから構成される。
【００４５】
容器部材５０５も取付け基部材５０３と同様にアルミ材、ステンレス材等の良熱伝導体から形成されており、外気温度がサーミスタ５０１に伝達されやすい構成となっている。また、孔５０４には赤外線を透過させるセラミック素材からなる窓部材５０６が固定されている。
【００４６】
なお、図５に示す検出素子収納体の場合、取付け基部材５０３にはその縁部から半径方向に向かって外側鍔部５０３ａが延設されており、これにより検出素子収納体は、プローブ部１０１の内壁に保持されることとなる。
【００４７】
（２）接触検知部の構成
次に、プローブ部１０１に取り付けられた接触検知部１２１の構成について説明する。図６（ａ）に示すように、プローブ部１０１の先端には、接触検知部１２１（例えば、複数のタッチパッドセンサから構成される）が取り付けられている。
【００４８】
タッチパッドセンサ６０１〜６０４は、パッド（電極）と抵抗をグランド間に並列に接続し、矩形波を加えた際の放電カーブの変化をとらえることで、接触の有無を検知する。具体的には、接触していない場合には、５ｐＦ（浮遊容量）程度の容量のコンデンサが抵抗と並列に接続されているのと等価になるのに対して、接触している場合には、大きな容量のコンデンサが抵抗と並列に接続されているのと等価になるため、両者の違いに伴う放電カーブの変化を検知することで、接触の有無を検知することができる。
【００４９】
タッチパッドセンサ６０１〜６０４は、プローブ部１０１の先端に形成された開口部の周縁を構成する先端面から、プローブ部１０１の側面を構成する外周面にかけて一体的に配されており、本実施形態では４つが、プローブ部１０１の周方向に配置されている。
【００５０】
ここで、図６（ｂ−１）は、プローブ部１０１を耳穴に挿入することができない乳幼児、小児等が被検者の場合の適切な測定状態を示している。具体的には、被検者の耳穴周辺にプローブ部１０１が密着され、耳穴にプローブ部１０１内のサーモパイルが正しく正対している様子を示している。図６（ｂ−１）に示すように、プローブ部１０１の先端において、周方向に設けられた４つのタッチパッドセンサ６０１〜６０４全てが接触を検知した場合に、耳式体温計１００では、耳穴周辺に対してプローブ部１０１の先端面が密着し、プローブ部１０１が耳穴に対して正対していると認識することができる。
【００５１】
一方、図６（ｂ−２）は、プローブ部１０１が耳穴に挿入できない乳幼児、小児等が被検者の場合の適切でない測定状態を示している。具体的には、被検者の耳穴周辺にプローブ部１０１が密着しておらず、耳穴に対してプローブ部１０１の先端が正対していない様子を示している。
【００５２】
図６（ｂ−２）に示す測定状態の場合、プローブ部１０１の先端の開口部を介してサーモパイルが測定を行う領域内には、鼓膜またはその周辺が含まれないため、測定誤差が大きくなる。
【００５３】
このような状態では、プローブ部１０１の先端において、周方向に設けられた４つのタッチパッドセンサ６０１〜６０４のうちのいずれか１つ以上のタッチパッドセンサが、接触していないことを検知する。つまり、接触していないタッチパッドセンサの有無を検知することで、耳式体温計１００では、プローブ部１０１が耳穴に正対していないことを認識することができる。
【００５４】
一方、図６（ｂ−３）は、プローブ部１０１の先端が耳穴に挿入可能な成人が被検者の場合の適切な測定状態を示している。具体的には、プローブ部１０１の先端が被検者の耳穴に正しく挿入され、プローブ部１０１内のサーモパイルが正しく正対している様子を示している。図６（ｂ−３）に示すように、プローブ部１０１の先端が耳穴に正しく挿入されている状態では、周方向に設けられた４つのタッチパッドセンサが、それぞれ、プローブ部１０１の側面を構成する外周面上において、接触を検知する。これにより、耳式体温計１００では、プローブ部１０１の先端部が耳穴に正しく挿入されていることを認識することができる。
【００５５】
６．耳式体温計１００の機能構成
次に耳式体温計１００の機能構成について図７を用いて説明する。図７は、耳式体温計１００の機能構成を示すブロック図である。なお、図７に示す構成または部品のうち、既に説明済みの構成または部品については同様の参照番号を附すこととし、ここでは詳細な説明は省略する。
【００５６】
図７に示すように、プローブ部１０１の検出素子収納体に内蔵されたサーミスタ５０１は、電極リード５０７を介して実装基板上の増幅部７０５に接続されている。また、赤外線ＩＲを検出するサーモパイル５０２は、電極リード５０７を介して実装基板上の増幅部７０５に接続されている。
【００５７】
なお、サーミスタ５０１からの出力は、増幅部７０５において増幅された後、Ａ／Ｄコンバータ７１０によりデジタル信号に変換され、ＣＰＵ７０２に入力され、ＣＰＵ７０２において換算される。これにより、サーミスタ５０１からの出力に基づく検出温度が算出される。
【００５８】
同様に、サーモパイル５０２からの出力は、増幅部７０６において増幅された後、Ａ／Ｄコンバータ７１０によりデジタル信号に変換され、ＣＰＵ７０２に入力され、ＣＰＵ７０２において換算される。これにより、サーモパイル５０２からの出力に基づく検出温度が算出される。
【００５９】
実装基板上に配された制御部７０１には、ＣＰＵ７０２と記憶素子であるＲＡＭ７０３及びＲＯＭ７０４とが配されており、サーミスタ５０１からの出力に基づいて算出された検出温度と、サーモパイル５０２からの出力に基づいて算出された検出温度とを用いて、被検者の体温の算出を行う。
【００６０】
プローブ部１０１に配された４つのタッチパッドセンサ６０１〜６０４は、４つの配線７１１を介して検出部に接続されている。これにより、タッチパッドセンサ６０１〜６０４における検出結果は、制御部７０１に送信されることとなり、制御部７０１では、被検者の耳穴に対して、プローブ部１０１が正対していることを認識することができる。
【００６１】
また、制御部７０１には、ＬＥＤ素子２０５と、表示部２０１と、スピーカ２０４と、電源スイッチ２０２とがそれぞれ接続されている。
【００６２】
表示部２０１は、制御部７０１において算出された被検者の体温を表示する。ＬＥＤ素子２０５は、被検者の体温の測定が開始されると緑色に点灯する一方、被検者の体温の測定が完了すると、赤色に点灯する。スピーカ２０４は、プローブ部１０１の先端が耳穴周辺に密着し、耳穴に対して正対していると認識された場合（つまり、適切な測定状態になった場合）に、音声を出力する。あるいは、被検者の体温の測定が完了した場合に、音声を出力する。
【００６３】
なお、制御部７０１は、電源スイッチ２０２が押圧操作されることにより、ボタン電池６０８（電源部）からの電力供給を受けて動作するよう構成されているものとする。
【００６４】
７．体温測定処理の流れ
次に耳式体温計１００における体温測定処理の流れについて説明する。図８は、耳式体温計１００における体温測定処理の流れを示すフローチャートである。
【００６５】
電源スイッチ２０２が押圧操作されると、体温測定処理が開始され、ステップＳ８０１では、サーミスタの温度変化が規定値より小さくなったか否かを判定する。これは、連続して体温測定を行う場合の２回目以降の測定を考慮した処理であり、前回の体温測定の際の接触により既にプローブ部１０１が温度上昇していた場合に、これをサーミスタの検出結果に反映させるためである。
【００６６】
ステップＳ８０１において、サーミスタの温度変化が規定値以下になったことが確認されると、ステップＳ８０２では、更に、前回の測定開始から規定時間が経過したか否かを判定する。ステップＳ８０２において、規定時間が経過したと判定された場合には、ステップＳ８０３に進む。
【００６７】
ステップＳ８０３では、接触検知部１２１を構成する各タッチパッドセンサ６０１〜６０４の出力に基づいて、それぞれの放電時定数を測定し、接触の有無を判定する。そして、接触検知部１２１を構成する４つのタッチパッドセンサ６０１〜６０４全てが接触していると判定されたことを条件に、ステップＳ８０４に進み、適切な測定状態にあることを報知する。具体的には、スピーカ２０４より音声を出力し、表示部２０１に、適切な測定状態にあることを示す絵文字を表示する。あるいは、ＬＥＤ素子２０５を緑色に点灯する。
【００６８】
ステップＳ８０５では、サーミスタ５０１及びサーモパイル５０２において検出された検出温度を取得する。ステップＳ８０６では、ステップＳ８０５において取得された検出温度に基づいて、制御部７０１が被検者の体温を算出する。また、算出した被検者の体温を表示部２０１に表示する。更に、ステップＳ８０７において、体温測定処理が終了したことを報知し、体温測定処理を終了する。
【００６９】
以上の説明から明らかなように、本実施形態に係る耳式体温計１００では、装着部（１０２及び１０４）及び装着帯１０６、１０７を配し、測定者の指に装着できる構成とするとともに、装着時に測定者の指が接触する面１１１、１１２に指固定壁（規定部材）を設け、装着時の測定者の指の位置を規定する構成としたことで、耳式体温計１００の測定者の指への安定装着を実現した結果、測定者が、被検者の体温測定に際して、両手を使うことができるようになった。
【００７０】
また、耳式体温計１００を装着した場合であっても、測定者が指の第１関節を自由に折り曲げることができるよう固定部１０４の長さを規制したことにより、プローブ部１０１の耳腔内への挿入に際して、プローブ部１０１の先端の位置を微調整できるようになった。
【００７１】
更に、プローブ部１０１の先端に接触検知部を取り付けることにより、サーモパイル５０２が耳穴を適確に捉え、適切な測定状態になっているか否かを判定できる構成とした。また、適切な測定状態になっていると判定されたことを条件に、体温測定を行う構成とした。
【００７２】
これにより、乳幼児や小児等の被検者であっても、適切な測定状態を実現しやくなるとともに、適切な測定状態が整ったタイミングで測定が開始されるため、再現性を向上させることが可能となった。
［第２の実施形態］
上記第１の実施形態では、プローブ部１０１がプローブ支持部１０２に対して略直交する方向に突出するものとしていたが、本発明はこれに限定されず、プローブ支持部１０２に対して斜めに突出するように構成してもよい。
【００７３】
また、上記第１の実施形態では、プローブ支持部１０２の面１１１及び固定部１０４の面１１２は平面としたが、本発明はこれに限定されず、中央がくぼんだ曲面により形成してもよい。この場合、指の形状に一致することとなり、耳式体温計１００装着時の安定性がより向上することとなる。
【００７４】
更に、上記第１の実施形態では、装着部（１０２及び１０４）及び装着帯１０６、１０８を用いて耳式体温計１００を測定者の指に装着する構成としたが、本発明はこれに限定されず、例えば、指サック式の装着部により装着する構成としてもよい。また、上記第１の実施形態では、耳式体温計１００を装着した際に、プローブ支持部１０２と固定部１０４とが同じ側（つまり、プローブ部１０１と固定部１０４とが同じ側）にくるように配置したが、本発明はこれに限定されず、例えば、プローブ部と固定部とは、異なる側に配置するようにしてもよい。
【符号の説明】
【００７５】
１００・・・耳式体温計、１０１・・・プローブ部、１０２・・・プローブ支持部、１０３・・・指固定壁、１０４・・・固定部、１０５・・・指固定壁、１０６・・・装着帯、１０７・・・装着リング、１０８・・・装着帯、１１１・・・面、１１２・・・面、１２１・・・接触検知部、２０１・・・表示部、２０２・・・電源スイッチ、２０４・・・スピーカ、２０５・・・ＬＥＤ素子、２１１・・・面、５０１・・・サーミスタ、５０２・・・サーモパイル、５０２ａ・・・温接点、５０２ｂ・・・冷接点、５０２ｃ・・・ウエハ担体、５０３・・・基部材、５０３ａ・・・外側鍔部、５０３ｂ・・・台座、５０４・・・孔、５０５・・・容器部材、５０５ａ・・・外周面、５０６・・・窓部材、５０７・・・電極リード、５０８・・・電極リード、６０１〜６０４・・・タッチパッドセンサ、７１１・・・配線
【図１】
2012070920.tif 000003
【図２】
2012070920.tif 000004
【図３】
2012070920.tif 000005
【図４】
2012070920.tif 000006
【図５】
2012070920.tif 000007
【図６】
2012070920.tif 000008
【図７】
2012070920.tif 000009
【図８】
2012070920.tif 000010